(57)【要約】【課題】電源プラグ挿入時や停電からの復旧時においてユーザの意図に沿った電源制御行うことができる電源制御装置、画像形成装置、電源制御方法及びプログラムを提供すること。【解決手段】外部電源から電力供給を受けて、負荷への電力供給を行う電力供給手段と、前記外部電源からの電力供給状態を検出する検出手段と、電源スイッチのオン／オフ操作内容を記憶する記憶手段と、を有する電源制御装置であって、前記検出手段が、前記外部電源からの電力が遮断状態から供給状態に変化したことを検出した時に、前記記憶手段に記憶された直近の前記電源スイッチの操作内容に基づき、前記電力供給手段が前記負荷への電力供給を制御することにより解決する。【選択図】図４
2012252512.tif 000002
【特許請求の範囲】
【請求項１】
外部電源から電力供給を受けて、負荷への電力供給を行う電力供給手段と、
前記外部電源からの電力供給状態を検出する検出手段と、
電源スイッチのオン／オフ操作内容を記憶する記憶手段と、
を有する電源制御装置であって、
前記検出手段が、前記外部電源からの電力が遮断状態から供給状態に変化したことを検出した時に、
前記記憶手段に記憶された直近の前記電源スイッチの操作内容に基づき、前記電力供給手段が前記負荷への電力供給を制御する
ことを特徴とする電源制御装置。
【請求項２】
前記検出手段が、前記外部電源からの電力が遮断状態から供給状態に変化したことを検出した時に、
前記記憶手段が記憶する直近の前記電源スイッチ操作がオフ操作以外の場合には、前記電力供給手段は前記負荷に電力を供給し、
前記記憶手段が記憶する直近の前記電源スイッチ操作がオフ操作である場合には、前記電力供給手段は前記負荷への電力を遮断する
ことを特徴とする請求項１に記載の電源制御装置。
【請求項３】
前記負荷が、
ユーザが操作を行うための操作ボタン等を有する操作部と、
前記操作部等からの指示に基づいて所定の動作を行う動作部と、
を有し、
前記検出手段が、前記外部電源からの電力が遮断状態から供給状態に変化したことを検出した時に、
前記記憶手段から前記電源スイッチの操作内容を読み出す間は、
前記電力供給手段は、前記操作部及び前記動作部には電力を供給しない
ことを特徴とする請求項１又は２に記載の電源制御装置。
【請求項４】
請求項１から３のいずれか一項に記載の電源制御装置を有する
ことを特徴とする画像形成装置。
【請求項５】
外部電源から電力供給を受けて、負荷への電力供給を行う電力供給工程と、
前記外部電源からの電力供給状態を検出する検出工程と、
電源スイッチのオン／オフ操作内容を記憶する記憶工程と、
を有する電源制御方法であって、
前記検出工程において、前記外部電源からの電力が遮断状態から供給状態に変化したことを検出した時に、
前記記憶工程で記憶された直近の前記電源スイッチの操作内容に基づき、前記電力供給工程における前記負荷への電力供給を制御する
ことを特徴とする電源制御方法。
【請求項６】
外部電源から電力供給を受けて、負荷への電力供給を行う電力供給手段と、
前記外部電源からの電力状態を検出する検出手段と、
電源スイッチのオン／オフ操作内容を記憶する記憶手段と、
を有する電源制御装置のコンピュータに、
前記検出手段が、前記外部電源からの電力が遮断状態から供給状態に変化したことを検出した時に、
前記記憶手段に記憶された直近の前記電源スイッチの操作内容に基づき、前記電力供給手段に前記負荷への電力供給の制御を
実行させることを特徴とするプログラム。
【発明の詳細な説明】
【技術分野】
【０００１】
本発明は、外部電源からの電力を負荷に供給する電源制御装置に関し、特に、電源プラグのプラグイン時等における負荷への電力供給を制御する電源制御装置、画像形成装置、電源制御方法及びプログラムに関する。
【背景技術】
【０００２】
常時稼動が求められる固定電話やモデム等の通信機器や、ＦＡＸ機能等を有する複写機といったＯＡ機器等では、電源プラグの挿入等によって電力の供給が開始された時に、電源スイッチを操作しなくても自動的に起動する様に設計されているものがある。
【０００３】
しかし、上記した機器において電源プラグが挿入されたことによって外部電源から電力の供給が行われた場合でも、電力の供給が開始された時に自動的な起動が必要な場合と、実際には起動が不要な場合とがある。
【０００４】
例えば、ユーザが電源スイッチのオフ操作を行った後に電源プラグの脱着を行った場合と、電源スイッチの操作が無い状態において停電等から復旧した場合とでは、上記機器からはどちらの場合も同じ様に電力供給が開始された様に見える。しかし、ユーザからは、電源スイッチ操作の有無によっては、明らかに異なる状況であるといえる。
【０００５】
電力供給と同時に不必要に起動すると、ユーザに違和感を与えると共に無駄に電力を消費することにもなるため、状況を判別した上で、ユーザの意図に沿った起動時の電源制御を行う必要がある。
【０００６】
そこで、例えば特許文献１には、マスタ側の画像形成装置にスレーブ側の画像形成装置が接続された画像形成システムにおいて、前記マスタ側の画像形成装置のコントローラＣＰＵが、当該画像形成装置の電源をＯＦＦしたときの状態をＣＰＵ内部の記憶素子に保持する機能を有する不揮発ＣＰＵからなる画像形成システムが開示されている。
【０００７】
特許文献１に係る画像形成システムによれば、電源をＯＦＦしたときの状態を保持するため、次に電源をＯＮにしたときに不要な立上げ処理を省略して起動することができるため、処理時間の短縮とコスト低減を達成することができる。
【発明の概要】
【発明が解決しようとする課題】
【０００８】
しかしながら、例えば電源スイッチの操作を行わずに電源プラグを抜いた場合や、停電した場合等には上記画像形成システムの状態を記憶することができず、次回立上げ時に最適な起動を実行できない場合がある。
【０００９】
そこで本発明では、電源プラグの挿入時や停電からの復旧時等、外部電源から電力の供給が開始された時に、ユーザによる電源スイッチの操作履歴に基づいて、ユーザの意図に沿った起動動作を実行し、消費電力を削減することができる電源制御装置、画像形成装置、電源制御方法及びプログラムを提供することを目的とする。
【課題を解決するための手段】
【００１０】
本発明は、上記課題に鑑み、外部電源から電力供給を受けて、負荷への電力供給を行う電力供給手段と、前記外部電源からの電力供給状態を検出する検出手段と、電源スイッチのオン／オフ操作内容を記憶する記憶手段と、を有する電源制御装置であって、前記検出手段が、前記外部電源からの電力が遮断状態から供給状態に変化したことを検出した時に、前記記憶手段に記憶された直近の前記電源スイッチの操作内容に基づき、前記電力供給手段が前記負荷への電力供給を制御することを特徴とする。
【発明の効果】
【００１１】
本発明の実施形態によれば、外部電源からの電力供給を検出した時に、記憶手段に記憶されたユーザの電源スイッチ操作履歴から起動条件を決定し、負荷への電力供給を最適に制御することができる。
【００１２】
例えば、ユーザによる電源スイッチのオフ操作が無く、電源プラグの挿入や停電からの復旧により外部電源から電力供給が開始された場合には、負荷への電力供給を行うことで通常通り起動動作を行う。
【００１３】
また、電源スイッチのオフ操作の後に、外部電源から電力供給が開始された場合には、負荷への電力供給を行わず、電源オフ状態を維持する。
【００１４】
この様な制御を行うことによって、ユーザの意図に沿った制御を実現でき、不必要な電力消費を防止するといった効果を得る事ができる。
【図面の簡単な説明】
【００１５】
【図１】実施形態に係る画像形成装置の概略構成を示す図
【図２】実施形態に係る画像形成装置の回路構成の概略を示す図
【図３】従来の画像形成装置の状態遷移を説明する図
【図４】実施形態に係る画像形成装置の状態遷移を説明する図
【図５】実施形態に係るＤＣ電源起動回路の入出力信号の例を示す図
【図６】実施形態に係る電源プラグ及び電源状態と各電源のＯＮ／ＯＦＦ状態の例を示す図
【図７】実施形態に係る電力供給検出後の処理例を示すフローチャート
【図８】実施形態に係る電ＯＦＦ異常チェックの処理例を示すフローチャート
【発明を実施するための形態】
【００１６】
以下、本発明の好適な実施の形態（以下「実施形態」という）について、図面を用いて詳細に説明する。
＜画像形成装置の概略構成について＞
図１に、本実施形態に係る電源制御装置を有する画像形成装置の概略構成を示す。
【００１７】
本実施形態においては、画像形成装置としてインクジェット方式の複合機を用いたが、これに限るものではなく、電子写真方式のレーザプリンタ、複写機等を用いることもできる。
【００１８】
図１において、画像形成装置１００は、原稿の画像を読み取るための画像読取部（スキャナ部）１１を筐体の上部に有している。この画像読取部１１は、照明光源１３とミラー１４とを含む光学系１５と、ミラー１６、１７を含む光学系１８とを移動させながら、コンタクトガラス１２上に載置された原稿の画像を読み取りのために光走査する。この光走査によって得られた原稿反射光が、レンズ１９の後方に配置された画像読み取り素子２０で画像信号として読み込まれて画像処理される。画像処理後の画像情報に基づいて、記録紙５に対する画像形成が行われる。
【００１９】
なお、画像形成装置１００は、画像読取部１１によって読み取った原稿画像以外にも、外部のパーソナルコンピュータ等の情報処理装置、イメージスキャナなどの画像読取装置、デジタルカメラなどの撮像装置等から送られる画像情報に基づいて画像を形成することもできる。
【００２０】
筐体内の底部付近には、給紙部４が設けられており、給紙カセット４１に内包している紙束から記録紙５を１枚ずつ取り出して給紙路に向けて送り出す。給紙カセット４１は、筐体の前面側から抜き差し可能である。
【００２１】
給紙路に送り込まれた記録紙５は、副走査搬送部３と画像形成部２との間に形成された走査搬送位置に搬送される。この走査搬送位置では、画像形成部２が記録紙５に向けて液滴を吐出して所望の画像形成を行う。
【００２２】
画像形成部２は、キャリッジ２３をガイドロッド２１等によって主走査方向に移動可能に保持している。キャリッジ２３は、タイミングベルトの張架部分に連結されており、ベルトの移動に伴って主走査方向に移動せしめられる。
【００２３】
キャリッジ２３には、上述の走査搬送位置で搬送される記録紙５にインクの液滴を吐出して画像を記録する液滴吐出手段たるプリンタヘッド２４が搭載されている。このプリンタヘッド２４は、互いに主走査方向に並びながらイエロー（ｙ），マゼンタ（ｍ），シアン（ｃ），黒（ｋ）それぞれインクを吐出するインクジェットヘッドを備えている。
【００２４】
各色のインクジェットヘッドに対しては、キャリッジ２３上に搭載されたサブタンク２５からそれぞれ対応色のインクが供給される。このサブタンク２５は、ｙ，ｍ，ｃ，ｋのインクをそれぞれ独立させた状態で貯留することができる。
【００２５】
給紙カセット４１の上方には、ｙ，ｍ，ｃ，ｋインクを収容するインクカートリッジ２６ｙ，２６ｍ，２６ｃ，２６ｋが着脱可能に装着されている。第２貯留タンクであるこれらインクカートリッジ内に収容されたｙ，ｍ，ｃ，ｋインクは、それぞれ必要に応じてキャリッジ２３上のサブタンク内に補給される。
【００２６】
画像形成部２との間で走査搬送位置を形成する副走査搬送部３は、無端帯状の搬送ベルト３１を移動させることができる。
【００２７】
給紙路の末端から走査搬送位置に向けて送られてきた記録紙５は、搬送ベルト３１と、これの表面に当接する押さえコロ３６とによって形成される受入ニップに進入し、搬送ベルト３１に静電吸着して副走査方向に搬送される。
【００２８】
搬送ベルト３１の無端移動に伴って走査搬送位置を通過した記録紙５は、分離爪３７によってベルト表面から分離される。
【００２９】
搬送ベルト３１から分離された記録紙５は、記録後搬送部７に受け渡され、機外に向けて排出される。記録紙５は、画像形成部２等を内包するプリント部の筐体の上面に設けられたスタック部に排出される。
＜画像形成装置の回路構成について＞
図２に、本実施形態に係る電源制御装置を有する画像形成装置１００の回路構成の概略を示す。
【００３０】
本実施形態に係る画像形成装置１００は、外部電源としての商用電源５４に、電源プラグ５３を介して接続することで電力の供給を受けることができる。
【００３１】
ＡＣ／ＤＣ電源５０は、ＡＣ電源である商用電源５４から画像形成装置１００が動作するための３７Ｖ又は５ＶのＤＣ電源を生成する装置である。外部電源がＤＣ電源である場合には、ＤＣ電源からＤＣ電源を生成するＤＣ／ＤＣ電源に置き換えることができる。
【００３２】
ＡＣ／ＤＣ電源５０におけるＤＣ電源（３７Ｖ）５１は、商用電源５４から３７ＶのＤＣ電源を生成し、ＤＣ電源（５Ｖ）５２は５ＶのＤＣ電源を生成し、各負荷に電力を供給する。
【００３３】
ＤＣ電源（３７Ｖ）は、後述するコントローラ８５からのＯＮ／ＯＦＦ信号に基づいて出力が制御されるが、ＤＣ電源（５Ｖ）５２は、商用電源５４と接続して電力供給を受けている間は常に５ＶのＤＣ電源を出力している。
【００３４】
ＤＣ電源起動回路５７は、電力供給手段としてＤＣ電源ａ５８及びＤＣ電源ｂ６８への電力供給を行うための回路である。また、ＤＣ電源（５Ｖ）５２の出力を検出することで、商用電源５４からの電力供給状態の検出手段としても機能する。
【００３５】
例えば、電源プラグ５３が外れている場合や停電している場合にはＤＣ電源（５Ｖ）５２からの出力が途絶え、電源プラグ５３が商用電源５４に接続又は停電から復旧した場合にはＤＣ電源（５Ｖ）５２からの出力が再開される。ＤＣ電源起動回路５７は、この様なＤＣ電源（５Ｖ）５２の出力変化に基づいて、外部電源である商用電源５４からの電力供給状態を検出することができる。
【００３６】
ＤＣ電源ａ５８は、画像形成装置１００のコントローラ８５のロジック回路を動作させる為に必要な電源生成回路である。また、ＤＣ電源ｂ６８は、画像形成装置１００のプリンタエンジン８６のロジック回路を動作させる為、ＤＣ電源ｃ５９は、画像形成装置１００のＩ／Ｆ回路（操作部）６４等を動作させる為にそれぞれ必要な電源生成回路である。
【００３７】
電源ＳＷ６３は、ユーザが画像形成装置１００の電源操作を行うためのスイッチである。
【００３８】
プリンタエンジン８６は、プリンタ機能を用いた場合の画像形成時におけるプリンタヘッド２４、主走査部８２等の制御を行う。
【００３９】
スキャナ部１１は、光学系を有し、スキャナ／コピー機能用に画像読取が可能な回路部である。
【００４０】
ＦＡＸ部５５は、ＦＡＸの送受信を行う回路部である。
【００４１】
この他にも、コピー／スキャナ／ＦＡＸ機能用に記録紙等の自動給紙搬送を行う搬送駆動部としてＡＤＦ部を設ける構成としても良い。
【００４２】
ＡＳＩＣ＆ＣＰＵ６１は、プリンタとしての特定用途制御が可能なＩＣと、中央演算装置である。
【００４３】
メモリ６２は、後述する画像形成装置１００の電源モードや、ユーザによる電源ＳＷ６３の操作履歴を記憶する不揮発性メモリである。商用電源５４からの電力供給が遮断状態から供給状態に変化したことをＤＣ電源起動回路５７が検出した時に、ＡＳＩＣ＆ＣＰＵ６１によってメモリ６２に記憶された電源ＳＷ６３の操作履歴等が読み出される。
【００４４】
コントローラ８５は、画像形成装置１００のコピー／スキャナ／ＦＡＸ／プリンタ機能及び電源といった各部の制御を行うことができる。また、コントローラ８５は、画像形成装置１００各部の制御を司ると共に、ＤＣ電源（３７Ｖ）５１及びＤＣ電源起動回路５７に電力供給のＯＮ／ＯＦＦ信号を送ることで、電源制御装置としても機能する。
【００４５】
Ｉ／Ｆ回路（操作部）６４は、画像形成装置１００を操作するための操作ボタン及び表示画面等を有し、ユーザからの操作を受け付けるユニットである。
【００４６】
Ｉ／Ｆ回路（ＵＳＢ１）６５は、ＰＣ等の端末や記憶媒体等と接続できるＵＳＢインタフェースであり、端末からの画像形成装置１００の制御や、端末及び記憶媒体等からプログラム等のダウンロードを可能にする。
【００４７】
Ｉ／Ｆ回路（ＬＡＮ）６６は、ネットワーク接続によりＰＣ等の端末と接続し、ネットワークを介して端末からの画像形成装置１００の制御を可能にするインタフェースである。
【００４８】
Ｉ／Ｆ回路（ＵＳＢ２）６７は、コントローラ８５とプリンタエンジン８６を接続し、コントローラ８５からプリンタの制御を可能にするＵＳＢインタフェースである。
【００４９】
プリンタヘッド２４は、ノズルからインクを吐出することで記録媒体上に画像形成を行い、主走査部８２は、プリンタヘッド２４の画像形成時における主走査方向の位置制御を行う。
【００５０】
維持部・供給部８３は、プリンタヘッド２４の状態維持を行い、インクの供給を行う装置であり、副走査部・給紙部・搬送部・排紙部８４は、プリンタヘッド２４による画像形成時における記録媒体の副走査方向の位置制御及び記録媒体の給紙、搬送、排紙等を行う。
＜従来例に係る画像形成装置の状態遷移について＞
図３に、従来例に係る画像形成装置の状態遷移を説明する図を示す。後述する電源モードも、各状態ごとに併せて記載している。
【００５１】
「電源プラグプラグアウト」状態は、電源プラグ５３が商用電源５４と接続していない状態であり、電源プラグ５３が商用電源５４に接続すると、「電源プラグプラグイン」状態に移行する。
【００５２】
ここで、電源プラグ５３が商用電源５４と接続することで電力供給が検出されると、「初期化」状態に移行し、プリンタヘッド２４、主走査部８２等が画像形成可能な状態になった後に、「待機」状態に移行する。「待機」状態は、画像形成装置の回路及びＤＣ電源の全てをＯＮ制御し、プリント等の動作要求に応じてすぐに動作が可能な状態である。
【００５３】
待機時間が予め設定された省エネ移行時間を過ぎると、「省エネ」状態に移行する。「省エネ」状態は、画像形成装置の回路及びＤＣ電源の一部をＯＦＦ制御し、消費電力を極力削減した状態である。
【００５４】
「省エネ」状態からは、Ｉ／Ｆ回路（操作部）６４、Ｉ／Ｆ回路（ＵＳＢ１）６５、Ｉ／Ｆ回路（ＬＡＮ）６６からの要求を受け付けた時に、再び「待機」状態に移行する。
【００５５】
「待機」状態からは、スキャン、ＦＡＸ、コピー、プリントといった動作要求に基づいて「動作」状態に移行し、動作が完了すると再び「待機」状態に移行する。
【００５６】
「待機」状態又は「省エネ」状態において、電源スイッチ６３のオフ操作が行われると、「メモリ書き込み」状態で記憶手段であるメモリに後述する電源モードを書き込んだ後、電源ＯＦＦ状態である「電源プラグプラグイン」状態に移行する。
＜実施形態に係る画像形成装置の状態遷移について＞
図４に、本実施形態に係る画像形成装置１００の状態遷移を説明する図を示す。図３に示した従来例とは、「メモリ読み出し」という状態が加わっている点で異なっている。
【００５７】
本実施形態では、電源プラグ５３が商用電源５４に接続されると、「電源プラグプラグイン」状態に移行し、外部電源からの電力が遮断状態から供給状態に変化したことを検出すると、「メモリ読み出し」状態に移行する。
【００５８】
「メモリ読み出し」状態では、記憶手段であるメモリ６２に記憶された電源ＳＷ６３の操作履歴の読み出しを行う。読み出した操作履歴のうち、直近の電源ＳＷ６３の操作内容に基づき、再度「電源プラグプラグイン」状態に移行するか、「初期化」状態に移行するかが選択される。また、「初期化」状態における処理内容も、後述する様にメモリ６２に記憶された電源モードの履歴に基づいて制御される。
【００５９】
電源プラグ５３が商用電源５４と接続する場合について図示しているが、停電時には外部電源からの電力が遮断された「電源プラグプラグアウト」状態にあり、停電から復旧した時に電源プラグ５３が商用電源５４と接続している場合には、「電源プラグプラグイン」状態に移行することになる。
【００６０】
停電からの復旧時においても、電源プラグ５３が商用電源５４に接続された場合と同様に、外部電源からの電力が遮断状態から供給状態に変化したことを検出した上でその後の制御を行う。
【００６１】
また、メモリ６２には電源ＳＷ６２の操作履歴に加えて、画像形成装置１００の電源モードが逐次記憶され、電源モードが変化する度に現在どのモードであるかが履歴として保存される。
【００６２】
ここで、図５に、本実施形態に係るＤＣ電源起動回路５７の入出力信号の例を示す。
【００６３】
図中の「ＩＮＰＵＴ」における「電源出力５Ｖ」は、ＤＣ電源（５Ｖ）５２からの出力であり、商用電源５４が停電等により使用不能状態でない限り、電源プラグ５３が商用電源５４に接続していれば常に「Ｈ（Ｈｉｇｈ）」の信号が出力されている。電源プラグ５３が商用電源５４にプラグインされた時や、電源プラグ５３が商用電源５４にプラグインした状態で停電から復旧した時には、「電源出力５Ｖ」の信号は「Ｌ（Ｌｏｗ）」から「Ｈ」への変化を生じる。この様な信号の変化を検出することによって、ＤＣ電源起動回路５７は外部電源である商用電源５４からの電力供給状態を検出することができる。
【００６４】
また、ＩＮＰＵＴの「ＤＣ電源起動回路ＯＦＦ信号」は、ＡＳＩＣ＆ＣＰＵ６１から条件に応じて電源ＯＦＦ状態に移行する場合に送られてくる信号を表しており、「電源ＳＷ要求ＯＮ／ＯＦＦ信号」は、電源ＳＷ６３が操作された時に送られる信号である。
【００６５】
ＤＣ電源起動回路５７は、これらのＩＮＰＵＴ信号に基づき、ＯＵＴＰＵＴとしてＤＣ電源ａ５８及びＤＣ電源ｂ６８にＯＮ／ＯＦＦ信号を送ることで電源制御の一部を行う。
【００６６】
図中上段において、電源プラグ５３が商用電源５４に接続したこと等により電源出力５Ｖの信号が「Ｌ」から「Ｈ」に変化したことが検出されると、他のＩＮＰＵＴ信号には関係なく（Ｄｏｎ'ｔ Ｃａｒｅ）、ＤＣ電源ａ５８及びＤＣ電源ｂ６８に「ＯＮ」信号を出力する。
【００６７】
次に、電源出力５Ｖが「Ｈ」の状態で、電源ＳＷ６３から「ＯＮ」信号が入力されると、同様にＤＣ電源ａ５８及びＤＣ電源ｂ６８に「ＯＮ」信号を出力する。
【００６８】
電源出力５Ｖが「Ｈ」の状態で、電源ＳＷ６３からＯＦＦ信号が入力されると、ＤＣ電源ａ５８及びＤＣ電源ｂ６８に「ＯＦＦ」信号を出力する。この場合には、電源ＳＷ６３の操作に基づいて信号出力を行うが、実際にはＡＳＩＣ＆ＣＰＵ６１が所定の動作を完了するまでは電源ＯＦＦには出来ない。そこで、ＡＳＩＣ＆ＣＰＵ６１が一旦「電源ＳＷ要求ＯＦＦ信号」を取り込んでから、新たにＤＣ電源起動回路ＯＦＦ信号をＡＳＩＣ＆ＣＰＵ出力信号として生成し、ＤＣ電源ａ５８及びＤＣ電源ｂ６８に「ＯＦＦ」信号を出力する。
【００６９】
図中最下段において、電源プラグ５３が外されたこと等によって電源出力５Ｖの出力が「Ｌ」になった場合には、他のＩＮＰＵＴに関わらず、ＤＣ電源ａ５８及びＤＣ電源ｂ６８に「ＯＦＦ」信号を出力する。
【００７０】
本実施形態に係るＤＣ電源起動回路５７は、上記した様な入力信号に基づいて、ＤＣ電源ａ５８及びＤＣ電源ｂ６８にＯＮ／ＯＦＦ信号を出力して電源制御を行う。
＜電源モードと各電源のＯＮ／ＯＦＦ状態について＞
図３，４に示した状態遷移図には、各状態における画像形成装置１００の電源モードを併記している。図示した様に、従来例に係る画像形成装置では、「ＯＦＦ」、「Ｓｌｅｅｐ」、「Ｓｔａｎｂｙ」、「Ａｃｔｉｖｅ」という４つの電源モードを有する場合が多いが、本実施形態に係る画像形成装置１００では、これらに加えて「ＤｅｅｐＳｌｅｅｐ」モードを備えている。
【００７１】
図６に、ＩＮＰＵＴとしての電源プラグ状態及び電源モードと、ＯＵＴＰＵＴとして各電源のＯＮ／ＯＦＦ状態の例を示す。
【００７２】
本実施形態に係る画像形成装置において、電力供給が制御される負荷である電源は、ＤＣ電源ａ５８、ＤＣ電源ｂ６８、ＤＣ電源ｃ５９、ＤＣ電源（３７Ｖ）５１である。
【００７３】
図６において、電源プラグ５３がプラグアウト状態の場合は、電源モードは「ＯＦＦ」モードであり、各電源もＯＦＦ状態である。電源プラグ５３がプラグイン状態で、電源モードが「ＯＦＦ」モードの場合は、ＤＣ電源（５Ｖ）５２のみがＯＮ状態になる。
【００７４】
次に「ＤｅｅｐＳｌｅｅｐ」モードは、商用電源５４からの電力が遮断状態から供給状態に変化したことを検出し、メモリ６２に記憶された電源ＳＷ６３の操作履歴等を読み出す時の電源モードである。「ＤｅｅｐＳｌｅｅｐ」モードは、ＤＣ電源（５Ｖ）５２以外に、ＤＣ電源ａ５８及びＤＣ電源ｂ６８に電力が供給された状態である。
【００７５】
本実施形態に係る画像形成装置では、電力負荷としてＩ／Ｆ回路６４が有する操作部、プリンタヘッド２４等の動作部、これらを制御するＡＳＩＣ＆ＣＰＵ６１，６９の制御部を有している。このうち、「ＤｅｅｐＳｌｅｅｐ」モードでは、ＤＣ電源ｃ５９及びＤＣ電源（３７Ｖ）５１への電力供給を遮断することで、前記した操作部及び動作部には電力の供給を行わない。
【００７６】
外部電源５４からの電力状態が変化したことを検出した場合でも、後述する処理により「状態チェック読み出し」結果によって起動状態に移行するか電源ＯＦＦ状態に移行するかが決定される。従って、例えば電源ＯＦＦ状態に移行する前段階に、操作部及び動作部に電力が供給されて起動すると、ユーザの意図に反する動作を行うこととなる。しかし、この様に「ＤｅｅｐＳｌｅｅｐ」モードを設けることにより、メモリ６２の読み出し状態において操作部等をＯＦＦ状態にしておくことで、ユーザに違和感を与えることを防ぐ効果がある。
【００７７】
この他、「Ｓｌｅｅｐ」モードはＤＣ電源（３７Ｖ）のみ電力供給を遮断した状態であり、「Ｓｔａｎｂｙ」モード及び「Ａｃｔｉｖｅ」モードはプリント機能等を発揮できる状態にするために全ての電源に電力を供給した状態である。
＜電力供給検出後の処理について＞
図７に、本実施形態に係る電源制御装置を有する画像形成装置１００において、外部電源からの電力が遮断状態から供給状態に変化したことを検出した後の処理例のフローチャートを示す。
【００７８】
まず、ステップＳ１にて外部電源からの電力が遮断状態から供給状態に変化したことが検出されると、ステップＳ２にて電源状態を「ＤｅｅｐＳｌｅｅｐ」モードに制御する。
【００７９】
次に、ステップＳ３にてメモリ６２から電源スイッチ操作履歴の読み出しを行う。ステップＳ４では、メモリ６２から読み出した直近の電源スイッチ操作がＯＦＦ操作であるか否かを判断し、直近の操作がＯＦＦ操作であった場合には、ステップＳ５にて電源状態を「ＯＦＦ」モードに制御して処理を終了する。
【００８０】
ステップＳ４にて直近の電源スイッチ操作がＯＦＦ操作以外であった場合には、ステップＳ６にて後述する電源ＯＦＦ異常チェックによるメンテナンス処理を行う。
【００８１】
ステップＳ７にてメンテナンスが正常終了したか否かを判断し、正常終了した場合にはステップＳ８にて電源状態を「Ｓｔａｎｂｙ」モードに制御して処理を終了する。メンテナンスが正常に終了しなかった場合には、ステップＳ９にてサービスマンコールを表示して処理を終了する。
【００８２】
以上の処理により、ユーザによる電源ＯＦＦ操作があった後に電源プラグ５３の脱着等があった場合には、各負荷への電力供給を遮断し、電源を「ＯＦＦ」モードに制御する。また、ユーザによる電源ＯＦＦ操作がなかった場合には、各負荷への電力供給を行い、メンテナンス処理を行った後に通常通りの起動処理を行う。
【００８３】
この様に、ユーザの意図に沿った起動動作を行うことにより、ユーザにとって違和感の無い電源制御を実現することができる。また、メモリ６２から電源ＳＷ６３の操作履歴を読み出す間は操作部や動作部には電力を供給しないため、電源を「ＯＦＦ」モードに移行する場合にもユーザに気付かれることなく実行することが可能となる。さらに、電力供給を検出した場合において不必要に起動することが無いため、電力消費量を削減することもできる。
【００８４】
図８に、本実施形態に係る電源ＯＦＦ異常チェックの処理例のフローチャートを示す。
【００８５】
電源ＯＦＦ異常チェックは、ユーザによる電源ＳＷ６３のオフ操作が無く、電源プラグ５３が脱着されること等によって商用電源５４からの電力供給状態が変化したことを検出した場合の起動時に行う処理である。
【００８６】
まず、外部電源からの電力供給が検出され、「ＤｅｅｐＳｌｅｅｐ」モードにてメモリ６２から電源ＳＷ６３の操作履歴を読み出す際に、併せてメモリ６２に記憶された電源モードの履歴も読み出しておくものとする。
【００８７】
電源ＯＦＦ異常チェックでは、まずステップＳ１１にて、メモリ６２から読み出した電源モード履歴のうち最後に記憶された電源モードが「Ａｃｔｉｖｅ」モードであるか否かの判定を行う。
【００８８】
「Ａｃｔｉｖｅ」モードであった場合には、次にステップＳ１２にて電源モードを「Ａｃｔｉｖｅ」モードに制御し、電力が遮断された際にプリント動作等を行っていたことが考えられるため、ステップＳ１３にて紙詰まりメンテナンスを実行する。
【００８９】
紙詰まりメンテナンスは実際に装置内に詰まった紙を取り除く作業を要するため、メンテナンスが必要であることを表示し、紙を取り除く手順を操作部の表示画面に表示する。
【００９０】
次に、ステップＳ１４にて、最後の電源モードが「Ｓｔａｎｂｙ」モードであった場合には、ステップＳ１５にて電源モードを「Ｓｔａｎｂｙ」モードに制御し、ステップＳ１６にて維持部・供給部８３のメンテナンスを行う。
【００９１】
維持部のメンテナンスは、プリンタヘッド２４のノズルを吐出に適した状態を保つようにするクリーニング等であり、供給部のメンテナンスとしてはプリンタヘッド２４にインクを供給する流路の圧力が最適になるように供給圧を調整する動作等である。
【００９２】
続いてステップＳ１７にてメモリ情報のメンテナンスを行って処理を終了する。メモリ情報のメンテナンスは、過去の電源モード履歴を消去して現在の最新データへの更新を行うものである。
【００９３】
この様に、電源ＯＦＦ時における電源モードに基づいて、紙詰まりや維持部・供給部等のメンテナンスを行うことで、起動時における不具合の発生を抑止することができる。
＜まとめ＞
以上説明した様に、本発明の実施形態によれば、外部電源である商用電源５４からの電力が遮断状態から供給状態に変化したことを検出した時に、メモリ６２に記憶されたユーザの電源ＳＷ６３の操作履歴に基づき、各負荷への電力供給を最適に制御することができる。
【００９４】
この様な制御を行うことによって、ユーザの意図に沿った電源制御を実現することができ、且つ、不必要な電力消費を抑えるといった効果を得ることもできる。
【００９５】
また、本発明に係る電源制御装置及び電源制御方法は、コンピュータにより実行可能なプログラムにより実現することができ、プログラムを記録した記録媒体をコンピュータにより読み取らせて実現することも可能である。
【００９６】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００９７】
１１    スキャナ部（動作部）
２４    プリンタヘッド（動作部）
５１    ＤＣ電源（３７Ｖ）（電力供給手段）
５２    ＤＣ電源（５Ｖ）（電力供給手段）
５４    商用電源（外部電源）
５５    ＦＡＸ部（動作部）
５７    ＤＣ電源起動回路（検出手段、電力供給手段）
６２    メモリ（記憶手段）
６３    電源ＳＷ（電源スイッチ）
６４    Ｉ／Ｆ回路（操作部）
８３    維持部・供給部（動作部）
８５    コントローラ（電源制御装置）
１００  画像形成装置
【先行技術文献】
【特許文献】
【００９８】
【特許文献１】特開２００９−３０２６４８号公報
【図１】
2012252512.tif 000003
【図２】
2012252512.tif 000004
【図３】
2012252512.tif 000005
【図４】
2012252512.tif 000006
【図５】
2012252512.tif 000007
【図６】
2012252512.tif 000008
【図７】
2012252512.tif 000009
【図８】
2012252512.tif 000010